(57)【要約】      （修正有）【課題】使用者が必要に合わせてステッキ傘の高さを調整し、使用時の高さを合わせることができ、安定性が高く、ぐらつかないステッキ傘の提供。【解決手段】ロッド上に筒状体を設け、ロッド内にストッパを設置し、このストッパはボタンがロッドに穿通され、さらに前記筒状体に設けた複数の調整孔上に突出させたものであり、これによりボタンを押すだけで迅速に筒状体を引き必要な長さに調節して使用することができると共に、前記筒状体の下端部に締め付けユニットを設け、その内部に前記筒状体下端部に当接し、かつロッド上に被せられる嵌合ユニットを設置し、前記ロッド上端部に固定カバーを設け、ステッキ傘の長さを調節した後、前記締め付けユニットを回転し前記筒状体とロッドを締め付けると、前記固定カバーと共にステッキ傘全体の安定性を高めることができる。【選択図】図６
0003123228.tif 000002
【実用新案登録請求の範囲】
【請求項１】
ハンドルを設けた中空の筒状体をロッド上に被せて設置し、前記筒状体上には複数の一列に配列された調整孔を設け、その傍にネジを螺合するためのネジ孔を開設し、前記ロッド内にストッパを設け、前記ストッパが弾性部材の一端に連結されたボタンを備え、前記ボタンの後端部にやや大きいパッド部を設け、前記ロッドの上には前記筒状体のネジが挿入される細長槽と、前記筒状体の調整孔に相対する位置に穿通孔を設け、前記ボタンのパッド部は前記穿通孔よりやや大きいものとし、前記ストッパを前記ロッドに設置するとき、前記弾性部材の一端が前記ロッドに当接されて弾力を形成し、前記ボタンが前記穿通孔から穿出され、前記パッド部が前記穿通孔内に位置し、前記筒状体を前記ロッドに被せるとき前記ネジを前記ネジ孔に螺合すると前記ネジが前記ロッドの細長槽に進入し、前記ストッパのボタンが前記筒状体の調整孔から突出することを特徴とし、前記ボタンを押して退縮させ、前記筒状体を調整して必要な高さの調整孔で再度前記ボタンを突出させることで高さを調節することができる構成としたことを特徴とするステッキ傘。
【請求項２】
主に、ハンドルを設けた中空の筒状体をロッド上に被せて設置し、前記筒状体上には複数の一列に配列された調整孔を設け、その傍にネジを螺合するためのネジ孔を開設し、前記ロッド内にストッパを設け、前記ストッパが弾性部材の一端に連結されたボタンを備え、前記ボタンの後端部にやや大きいパッド部を設け、前記ロッドの上には前記筒状体のネジが挿入される細長槽と、前記筒状体の調整孔に相対する位置に穿通孔を設け、前記ボタンのパッド部は前記穿通孔よりやや大きいものとし、さらに、前記筒状体とロッド間に嵌合ユニット、締め付けユニット、固定カバーを設け、そのうち、前記嵌合ユニットは前記ロッド上に被せられ、一端にテーパ部を備え、後方に前記筒状体内に伸入される挿入軸が設けられ、前記テーパ部と挿入軸の接続部位に形成された張り出し部が前記筒状体の下端部に当接され、且つ、細隙及び切り込み槽が設けられ、前記締め付けユニットは一端の内側に前記筒状体の下端部に形成された雄ネジ山と螺合される雌ネジ山を備え、他端に前記嵌合ユニットのテーパ部に相対する内側テーパ面が設けられ、前記固定カバーは前記ロッドの上端部に被せられ、貫通状の細隙を備え、ステッキ傘を必要な高さに調整するとき、前記締め付けユニットを上方向に回転させると、前記嵌合ユニットのテーパ部が前記内側テーパ面による圧迫を受け、前記切り込み槽が縮められて締め付けが強化される構成としたことを特徴とする請求項１に記載のステッキ傘。
【請求項３】
前記嵌合ユニットがゴム等のプラスチック材質から成ることを最良とする構成としたことを特徴とする請求項２に記載のステッキ傘。
【請求項４】
前記固定カバーと前記ロッドの結合が、相互に対応するよう設けられた環状槽と環状突起を嵌合させることで達せられる構成としたことを特徴とする請求項２に記載のステッキ傘。
【考案の詳細な説明】
【技術分野】
【０００１】
本考案は従来のステッキと雨傘を一体としたステッキ傘に関し、長さを変化させることが困難であるという欠点に対して改良を施し、異なる高さに合わせて長さを変えることができ、安全で安定したぐらつきのないステッキ傘の改良設計に関する。
【背景技術】
【０００２】
人類が雨や日光を遮る必要に気づいたときから傘の発明があり、このため、傘はすでに人々の生活における必需品となっており、また、傘の長さは老人が体を支えるために用いることができるため、傘にはステッキとしての用途が派生している。
【０００３】
傘の原始的設計は雨や日光を遮ることを主としているため、ステッキとしての支え及び安定性の機能は備えておらず、このため、後に一本で両用が可能な傘とステッキの機能を結合して一体としたものが考案されている。これは図１に示すように、ロッド１１のもとの傘の柄の部分を人の手に合わせて一般的なステッキに用いられるようなハンドル１２として設計し、先端部にゴムの石突き１４を設置して、比較的大きな支持面積を形成し、上部は傘骨に傘布１３を張っただけの簡単な設計で、老人や歩行が困難な人に傘の機能を備えたステッキとして利用できるようにし、人々に対し費用の無駄のない便利な携帯用品を確かに提供している。
【０００４】
しかしながら、このような従来のステッキ傘は一定の高さしか備えておらず、即ち、使用者はステッキ傘の長さをその支えの高さとするしかなく、自分の必要な支えの高さに合わせてステッキ傘を適当な長さに調節して使用することができず、これが現在のステッキ傘の設計上の欠点となっている。
【考案の開示】
【考案が解決しようとする課題】
【０００５】
本考案のステッキ傘の設計目的は、使用者が必要に合わせてステッキ傘の高さを調整し、使用時の高さを合わせることができ、且つ、安定性が高く、ぐらつかないステッキ傘を提供することにある。
【課題を解決するための手段】
【０００６】
本考案のステッキ傘の改良は、ロッド上に筒状体を設け、ロッド内にストッパを設置し、このストッパはボタンがロッドに穿通され、さらに前記筒状体に設けた複数の調整孔上に突出させたものであり、これによりボタンを押すだけで迅速に筒状体を引き必要な長さに調節して使用することができる。
【０００７】
本考案のステッキ傘の改良は、その長さによるぐらつきと不安定さをなくすことができ、前記筒状体の下端部に締め付けユニットを設け、その内部に前記筒状体下端部に当接し、かつロッド上に被せられる嵌合ユニットを設置し、前記ロッド上端部に固定カバーを設け、ステッキ傘の長さを調節した後、前記締め付けユニットを回転し前記筒状体とロッドを締め付け、かつ、前記固定カバーの組み合わせにより、安定性を高めるという目的を達する。        
【考案を実施するための最良の形態】
【０００８】
本考案のステッキ傘は、図２に示すように、基本的には傘のロッド１１上に筒状体２０を設け、前記筒状体２０によりステッキ傘の長さを調節するという目的を達するものである。同時に図３の立体分解図に示すように、前記筒状体２０は中空状を呈し、前記ロッド１１上に被せることができ、ハンドル１２が前記筒状体２０上に設けられ、前記筒状体２０上にはさらに複数の一列に配列された調整孔２１が開設され、別の側面上にネジ２３が螺合されるネジ孔２２が開設される。
【０００９】
筒状体２０が被せられるロッド１１上の対応する部位には細長槽３５が開設され、この細長槽３５には前記ネジ２３が進入しその上下移動距離（図４の透視図を参照）が制限され、また調整孔２１と同じ位置に穿通孔３４が開設され、この穿通孔３４及び調整孔２１にはストッパ３０のボタン３１が嵌入される。
【００１０】
前記ストッパ３０はロッド１１内に設置され、弾性部材３３の一端にボタン３１が設置され、他端がロッド１１の内側壁面上に当接されてボタン３１に位置回復の弾力が形成される。そのうち、前記ボタン３１後部にはやや大きいパッド部３２が設けられ、このパッド部３２はロッド１１の穿通孔３４より大きいため、ボタン３１がロッド１１内に制限される(図５参照)。この実施例においては、前記弾性部材３３はU字形を呈するバネピンとする。
【００１１】
同時に図５の動作図に示すように、ステッキ傘の高さを調整したいときは、ボタン３１を押すとボタン３１が弾性部材３３により付勢されるため筒状体２０の調整孔２１内のみで収縮し、このとき、ハンドル１２を上方向に引くことでボタン３１を必要な長さの調整孔２１の位置にあわせることができ、ボタン３１が弾性部材３３の弾力により突出して固定され、これにより迅速な調整という目的を達することができる。
【００１２】
そのうち、図４に示すように、前記細長槽３５は筒状体２０の引き伸ばしを制限する機能を備えており、一定の高さまで引き出されると、ネジ２３が細長槽３５の端に当たり、動きが止まる。
【００１３】
本考案のステッキ傘は、必要に応じて筒状体２０を引き出すことで必要な高さに変えることができるが、その安定性と引き出される長さは反比例するため、筒状体２０とロッド１１が密着した状態でないとそこに生まれる間隙が使用時にぐらつきを発生し不安定感を与えるため、本考案は図６に示すように別途筒状体２０とロッド１１間に嵌合ユニット４０、締め付けユニット５０、固定カバー６０を設け、この問題を効果的に改善しており、使用上の安定性を高め、長さの変化による不安定感を取り除いている。
【００１４】
図６に示すように、筒状体２０下端部に雄ネジ山２４が設けられ、締め付けユニット５０の雌ネジ山５２と螺合することができ、前記締め付けユニット５０の他端には内側テーパ面５１が設けられ、外周面には手で施力することができる滑り止め面５３が形成され、この図においては刻み状の滑り止め面５３の設計となっており、その内側テーパ面５１は嵌合ユニット４０のテーパ部４１と接触を形成する。
【００１５】
前記嵌合ユニット４０はプラスチック材質から成り、ロッド１１に被せることができ、テーパ部４１と後部挿入軸４２を接続する張り出し部４５が筒状体２０の端に当接し、そのうち、嵌合ユニット４０上にはロッド１１の細長槽３５と共にネジ２３の動きを制限するために用いられる貫通状の細隙４３が設けられ、さらに締め付けられたとき内側に向かって締まりロッド１１を挟み込むための切り込み槽４４が開設され、この図においては切り込み槽４４の実施形状は嵌合ユニット４０を貫通していない形状に設けられており、図の上面側に示されている。
【００１６】
この嵌合ユニット４０の挿入軸４２は筒状体２０内に挿入され、ロッド１１との間に位置し、筒状体２０とロッド１１間の充填物としての役割を果たし、間隙をなくしてぐらつき現象の発生を防止する。但し、筒状体２０下端部のみに設けられているおり充填が不足するため、ロッド１１の上端部、すなわち筒状体２０内部に伸入された状態で固定カバー６０(図７参照)が設置され、この固定カバー６０は環状突起６１を備え、ロッド１１の端に設けられた対応する環状槽３６に嵌合することができ、さらに固定カバー６０上にもネジ２３と細長槽３５に合わせて滑動を制限する細隙６２が設けられる。図に示すように、さらに切り込み槽６３をロッド１１の穿通孔３４に合わせて設けるが、前記固定カバー６０が穿通孔３４の位置に達していない場合はこの切り込み槽６３は設けなくともよい。
【００１７】
図７に示すように、本考案のステッキ傘を一定の長さに調整するとき、内側テーパ面５１がテーパ部４１に接触し、図８に示すように締め付けユニット５０を上方向に回転させると、内側テーパ面５１がテーパ部４１に密着して切り込み槽４４が内側に向かって縮められ、同時にロッド１１を挟み込むと共にテーパ部４１が筒状体２０の端を埋め、上方の固定カバー６０と併せてステッキ傘の安定性を高める効果を形成する。
【００１８】
本考案のステッキ傘は、確実に従来のステッキ傘における長さ調整ができないという欠点を改善し、迅速に操作・使用ができるとく目的を達すると共に、安定性を高める効果を備え、改良された機能と実用価値を備えているため、ここに実用新案登録を出願するものである。
【図面の簡単な説明】
【００１９】
【図１】従来のステッキ傘の側面図である。
【図２】本考案のステッキ傘の側面図である。
【図３】本考案の筒状体の立体分解図である。
【図４】本考案の筒状体部分の側面透視図である。
【図５】本考案の使用動作を示す側面透視図である。
【図６】本考案のステッキ傘の安定性向上機構の立体分解図である。
【図７】本考案の締め付けユニット、嵌合ユニット、固定カバーの位置を示す透視図である。
【図８】本考案の締め付けユニットを締め付ける動作を示す透視図である。
【符号の説明】
【００２０】
１１        ロッド      
１２        ハンドル      
１３        傘布      
１４        石突き
２０        筒状体
２１        調整孔      
２２        ネジ孔      
２３        ネジ
２４        雄ネジ山    
３０        ストッパ    
３１        ボタン      
３２        パッド部
３３        弾性部材      
３４        穿通孔      
３５        細長槽
３６        環状槽    
４０        嵌合ユニット
４１        テーパ部   
４２        挿入軸      
４３        細隙
４４        切り込み槽     
４５        張り出し部
５０        締め付けユニット  
５１        内側テーパ面
５２        雌ネジ山    
５３        滑り止め面    
６０        固定カバー
６１        環状突起    
６２        細隙     
６３        切り込み槽
【図１】
0003123228.tif 000003
【図２】
0003123228.tif 000004
【図３】
0003123228.tif 000005
【図４】
0003123228.tif 000006
【図５】
0003123228.tif 000007
【図６】
0003123228.tif 000008
【図７】
0003123228.tif 000009
【図８】
0003123228.tif 000010